(57)【特許請求の範囲】
【請求項１】
製氷機ケースと、該製氷機ケースの上部に設けた製氷装置と、該製氷装置の下側に設けたドレンパンと、前記ドレンパンを支持するため、製氷機ケースの前面横方向に設けた中仕切板とを具える製氷機において、前記中仕切板は、両端に前記製氷機ケースの側壁と平行な板状のビス止め部を有し、該ビス止め部には、縦長に形成したビス挿入部と、該ビス挿入部下部からビス止め部先端縁まで横方向に延在する切欠部とを設けたことを特徴とする製氷機。
【発明の詳細な説明】
【０００１】
【発明の属する技術分野】
本発明は、逆セル型製氷機等の製氷装置をケース内部に設けた製氷機に関するものである。
【０００２】
【従来の技術】
図３は、製氷機の一部断面図である。図３において、１は製氷機ケース、２は中仕切板、１１はドレンパン、１２は係止部、１３はドレンパン取付ビス、１４は上パネル、１５はパネル取付ビス、１６は逆セル型製氷機等の製氷装置である。
【０００３】
図中左側が製氷機の前面である。ドレンパン１１は、図の手前側が開いており、その下側に貯氷庫がある。そして、製氷装置１６で製氷した氷は、図の手前側から下の貯氷庫に落として貯氷しておく。製氷装置１６で製氷後、余った製氷残水は、ドレンパン１１の上に流して、外部に排水する。
【０００４】
そのドレンパン１１は、製氷機ケース１の背面に形成した係止部１２と、製氷機ケース１の前面に取り付けた中仕切板２との間に差し渡し、ドレンパン取付ビス１３で締め付けて固定する。また、中仕切板２と製氷機ケース１の前上縁部との間に上パネル１４を被せて、それをパネル取付ビス１５で締め付け固定する。
【０００５】
そのように、ドレンパン１１や上パネル１４を取り付けるため、製氷機ケース１の前面に中仕切板２を取り付ける必要があるが、従来、その取り付けは、図４に示すように、中仕切板２の両端にビス止め部４を設け、それに設けたビス孔に取付ビス６を通して締め付けることにより行うようにしている。なお、図４において、３は扉ヒンジ取付仕切板、７は扉ヒンジ取付仕切板３を製氷機ケース１に固定するためのリベットである。
【０００６】
なお、このような製氷機に関連する従来の文献としては、例えば、特開平9-126612号公報(F25C 5/04) がある。
【０００７】
【発明が解決しようとする課題】
しかしながら、上記した従来の製氷機では、中仕切板２を製氷機ケース１に取り付ける際に、片方の手で中仕切板２を持ち、もう一方の手でビスを仮止めしてから、エアツール等を使ってビスの締め付けを行っているが、中仕切板２の前面とビス止め部４のビス孔が近すぎるため、位置決めが困難であり、作業に時間がかかるという問題点があった。
【０００８】
本発明は、そのような問題点を解決し、中仕切板の位置決めを容易にして、取り付け作業時間を短縮できるようにすることを目的とするものである。
【０００９】
【課題を解決するための手段】
前記課題を解決するため、本発明は、製氷機ケースと、該製氷機ケースの上部に設けた製氷装置と、該製氷装置の下側に設けたドレンパンと、前記ドレンパンを支持するため、製氷機ケースの前面横方向に設けた中仕切板とを具える製氷機において、前記中仕切板は、両端に前記製氷機ケースの側壁と平行な板状のビス止め部を有し、該ビス止め部には、縦長に形成したビス挿入部と、該ビス挿入部下部からビス止め部先端縁まで横方向に延在する切欠部とを設けたことを特徴とする。このようにすると、最初に取付ビスだけを仮止めし、その後中仕切板をはめ込むことができ、しかも、ビス挿入部と切欠部とがカギ状になるため、ビス止め部が取付ビスに対して安定的に係止され、中仕切板の位置決めを容易にして、取り付け作業時間を短縮できる。
【００１０】
【発明の実施の形態】
以下、本発明の実施の形態を図面に基づいて詳細に説明する。
図１は、本発明の製氷機の中仕切板の構造を示す図であり、図２は、中仕切板２ビス止め部を示す図である。符号は、図４のものに対応しており、５はビス挿入部、８は切欠部、９は上部折曲部、１０は下部折曲部である。
【００１１】
中仕切板２は、金属板より成り、その上縁及び下縁は、直角に折り曲げて上部折曲部９及び下部折曲部１０を形成している。また、中仕切板２の左右両端も、直角に折り曲げてビス止め部４を形成し、それにビス挿入部５と、ビス止め部４の端縁からビス挿入部５に達する切欠部８とを形成している。それらビス挿入部５は、縦長に形成し、その下部に横方向に延在する切欠部８を形成することにより、ビス挿入部５と切欠部８とがカギ状になるようにしている。また、下側の切欠部８は、下方も切り欠いており、中仕切板２の着脱を容易にしている。それらビス挿入部５，切欠部８は、中仕切板２を製氷機ケース１に固定する際に用いる取付ビス６の径より幅広に形成している。
【００１２】
この中仕切板２を製氷機ケース１に取り付けるには、まず、取付ビス６を所定の位置に仮止めする。そして、中仕切板２を、仮止めしておいた取付ビス６に、切欠部８からビス挿入部５の奥まではめ込んで係止させる。その際、前述したように、下側の切欠部８は、下方も切り欠いているため、取付ビス６へのはめ込みが容易になる。また、ビス挿入部５と切欠部８とをカギ状に形成しているため、取付ビス６がビス挿入部５の上方に入り込むことにより、安定的に係止される。その後、エアーツール等を使って取付ビス６を締め付ける。
【００１３】
このようにして、従来の製氷機のように、片方の手で中仕切板２を持ち、もう一方の手でビスを仮止めするというような不便なやり方をせず、最初に取付ビス６だけを仮止めし、その後中仕切板２をはめ込むというように、取付ビス６の仮止めと中仕切板２の取り付けのそれぞれの作業を個別に行うことができる。したがって、取付ビス６の仮止めは、中仕切板２がない状態で行うことができるので、中仕切板２の前面とビス止め部４のビス挿入部５が近くても容易に作業できる。その結果、作業時間を従来のものより大幅（数十秒）短縮することができる。
【００１４】
製氷機ケース１に中仕切板２を取り付けた後、ドレンパン１１（図３）と上パネル１４（同）とを、中仕切板２にビス止めする。
【００１５】
そのようにして製氷機の製造が行われ、実際に使用される段階になると、この種の製氷機では、サービス時に製氷装置１６（図３）の部品を交換することがある。そのようなとき、中仕切板２を取り外した方が部品交換の作業がし易くなるが、その際、本発明の製氷機では、取付ビス６を弛めるだけで中仕切板２の取り外しができるので、部品交換の作業時間を大幅に短縮できる。
【００１６】
【発明の効果】
本発明は、以上説明したように、ドレンパン１１や上パネル１４等を取り付けるための中仕切板のビス止め部に、縦長に形成したビス挿入部と、該ビス挿入部下部からビス止め部先端縁まで横方向に延在する切欠部とを設けたので、最初に取付ビスだけを仮止めし、その後中仕切板をはめ込むことができ、しかも、ビス挿入部と切欠部とがカギ状になるため、ビス止め部が取付ビスに対して安定的に係止され、中仕切板の位置決めを容易にして、取り付け作業時間を短縮できる。また、使用段階になってから、製氷装置の部品を交換する際に、中仕切板の取り外し、取り付けが容易になって、交換作業時間を大幅に短縮することができる。
【図面の簡単な説明】
【図１】本発明の製氷機の中仕切板の構造を示す図である。
【図２】中仕切板のビス止め部を示す図である。
【図３】製氷機の一部断面図である。
【図４】従来の製氷機の中仕切板の構造を示す図である。
【符号の説明】
１…製氷機ケース
２…中仕切板
３…扉ヒンジ取付仕切板
４…ビス止め部
５…ビス挿入部
６…取付ビス
８…切欠部
１１…ドレンパン
１４…上パネル
１６…製氷装置
【図１】
0003913353.tif 000002
【図２】
0003913353.tif 000003
【図３】
0003913353.tif 000004
【図４】
0003913353.tif 000005